(57)【特許請求の範囲】
【請求項１】
ユーザ機器(UE)におけるワイヤレス通信の方法であって、
周期パイロット送信構成に少なくとも部分的に基づくパイロット信号の第1のセットを受信するステップと、
バーストパイロット送信構成に少なくとも部分的に基づくパイロット信号の埋め込み済み第2のセットを含み、1つまたは複数の制御チャネル送信を含む低レイテンシバーストを受信するステップであって、前記バーストパイロット送信構成が前記周期パイロット送信構成とは異なる、ステップと、
前記低レイテンシバーストの復調のために、前記1つまたは複数の制御チャネル送信をパイロットデータに変換するステップと
を含む方法であって、
パイロット信号の前記埋め込み済み第2のセットは、復調パイロット信号である、
方法。
【請求項２】
パイロット信号の前記第1のセットに少なくとも部分的に基づいて長期チャネル推定値を生成するステップ
をさらに含む、請求項1に記載の方法。
【請求項３】
パイロット信号の前記第2のセットに少なくとも部分的に基づいて瞬時チャネル推定値
を生成するステップ
をさらに含む、請求項2に記載の方法。
【請求項４】
前記長期チャネル推定値および前記瞬時チャネル推定値を利用して前記低レイテンシバーストを復調するステップ
をさらに含む、請求項3に記載の方法。
【請求項５】
前記長期チャネル推定値に基づいて基地局にチャネル状態情報メッセージを送信するステップ
をさらに含む、請求項2に記載の方法。
【請求項６】
前記長期チャネル推定値に少なくとも部分的に基づいて追跡ループを更新するステップ
をさらに含む、請求項2に記載の方法。
【請求項７】
前記変換された制御チャネルに基づいてチャネル推定値を精緻化するステップ
をさらに含む、請求項1に記載の方法。
【請求項８】
後続バースト送信構成に基づくパイロットを有しない後続低レイテンシバーストを受信するステップ
をさらに含む、請求項1に記載の方法。
【請求項９】
前記バーストパイロット送信構成は、ランク1送信に基づいて埋め込まれたパイロット信号のセットを含む、請求項1に記載の方法。
【請求項１０】
前記バーストパイロット送信構成は、ランク2送信に基づいて埋め込まれたパイロット信号のセットを含む、請求項1に記載の方法。
【請求項１１】
前記バーストパイロット送信構成は、前記周期パイロット送信構成よりも高いパイロット密度を含む、請求項1に記載の方法。
【請求項１２】
基地局におけるワイヤレス通信の方法であって、
周期パイロット送信構成に少なくとも部分的に基づくパイロット信号の第1のセットを送信するステップと、
バーストパイロット送信構成に少なくとも部分的に基づいて低レイテンシバーストにパイロット信号の第2のセットを埋め込むステップであって、前記バーストパイロット送信構成が前記周期パイロット送信構成とは異なり、前記低レイテンシバーストが1つまたは複数の制御チャネル送信を含む、ステップと、
パイロット信号の前記埋め込み済み第2のセットを含む前記低レイテンシバーストを送信するステップと、
後続バーストパイロット送信構成に基づくパイロット信号のセットを有しない後続低レイテンシバーストを送信するステップと
を含む方法であって、
パイロット信号の前記埋め込み済み第2のセットは、復調パイロット信号である、
方法。
【請求項１３】
前記周期パイロット送信構成よりも高いパイロット密度を含む前記バーストパイロット送信構成を選択するステップ
をさらに含む、請求項12に記載の方法。
【請求項１４】
ランク1送信方式の場合の前記低レイテンシバーストのチャネルPDPに対応する周波数領域におけるトーン密度を有するデータシンボルに埋め込まれたパイロット信号のセットを含む前記バーストパイロット送信構成を選択するステップ
をさらに含む、請求項12に記載の方法。
【請求項１５】
ランク2送信方式の場合の前記低レイテンシバーストのチャネルPDPに対応する周波数領域におけるトーン密度を有するデータシンボルに埋め込まれたパイロット信号のセットを含む前記バーストパイロット送信構成を選択するステップ
をさらに含む、請求項12に記載の方法。
【請求項１６】
ユーザ機器(UE)におけるワイヤレス通信のための装置であって、
プロセッサと、
前記プロセッサと電子通信しているメモリと、
前記メモリに記憶された命令と
を含み、前記命令は、前記プロセッサによって、
周期パイロット送信構成に少なくとも部分的に基づくパイロット信号の第1のセットを受信することと、
バーストパイロット送信構成に少なくとも部分的に基づくパイロット信号の埋め込み済み第2のセットを含み、1つまたは複数の制御チャネル送信を含む低レイテンシバーストを受信することであって、前記バーストパイロット送信構成が前記周期パイロット送信構成とは異なる、受信することと、
前記低レイテンシバーストの復調のために、前記1つまたは複数の制御チャネル送信をパイロットデータに変換することと
を行うように実行可能である、装置であって、
パイロット信号の前記埋め込み済み第2のセットは、復調パイロット信号である、
装置。
【請求項１７】
前記命令は、前記プロセッサによって、
パイロット信号の前記第1のセットに少なくとも部分的に基づいて長期チャネル推定値を生成する
ように実行可能である、請求項16に記載の装置。
【請求項１８】
前記命令は、前記プロセッサによって、
パイロット信号の前記第2のセットに少なくとも部分的に基づいて瞬時チャネル推定値を生成する
ように実行可能である、請求項17に記載の装置。
【請求項１９】
前記命令は、前記プロセッサによって、
前記長期チャネル推定値に基づいて基地局にチャネル状態情報メッセージを送信する
ように実行可能である、請求項17に記載の装置。
【請求項２０】
前記命令は、前記プロセッサによって、
後続バースト送信構成に基づくパイロットを有しない後続低レイテンシバーストを受信する
ように実行可能である、請求項16に記載の装置。
【請求項２１】
基地局におけるワイヤレス通信のための装置であって、
プロセッサと、
前記プロセッサと電子通信しているメモリと、
前記メモリに記憶された命令と
を含み、前記命令は、前記プロセッサによって、
周期パイロット送信構成に少なくとも部分的に基づくパイロット信号の第1のセットを送信することと、
バーストパイロット送信構成に少なくとも部分的に基づいて低レイテンシバーストにパイロット信号の第2のセットを埋め込むことであって、前記バーストパイロット送信構成が前記周期パイロット送信構成とは異なり、前記低レイテンシバーストが1つまたは複数の制御チャネル送信を含む、埋め込むことと、
パイロット信号の前記埋め込み済み第2のセットを含む前記低レイテンシバーストを送信することと、
後続バーストパイロット送信構成に基づくパイロット信号のセットを有しない後続低レイテンシバーストを送信することと
を行うように実行可能である、装置であって、
パイロット信号の前記埋め込み済み第2のセットは、復調パイロット信号である、
装置。
【請求項２２】
前記命令は、前記プロセッサによって、
前記周期パイロット送信構成よりも高いパイロット密度を含む前記バーストパイロット送信構成を選択する
ように実行可能である、請求項21に記載の装置。
【請求項２３】
前記命令は、前記プロセッサによって、
ランク1送信方式の場合の前記低レイテンシバーストのチャネルPDPに対応する周波数領域におけるトーン密度を有するデータシンボルに埋め込まれたパイロット信号のセットを含む前記バーストパイロット送信構成を選択する
ように実行可能である、請求項21に記載の装置。
【請求項２４】
前記命令は、前記プロセッサによって、
ランク2送信方式の場合の前記低レイテンシバーストのチャネルPDPに対応する周波数領域におけるトーン密度を有するデータシンボルに埋め込まれたパイロット信号のセットを含む前記バーストパイロット送信構成を選択する
ように実行可能である、請求項21に記載の装置。
【発明の詳細な説明】
【技術分野】
【０００１】
相互参照
本特許出願は、各々が本出願の譲受人に譲渡された、2015年5月7日に出願された「Hybrid Pilot Design for Low Latency Communication」と題する、Jiangらによる米国特許公開第14/706,193号、および2014年10月29日に出願された「Hybrid Pilot Design for Low Latency Communication」と題する、Jiangらによる米国仮特許出願第62/072,329号の優先権を主張する。
【０００２】
以下は、一般にワイヤレス通信に関し、より詳細には、低レイテンシ通信のためのハイブリッドパイロット設計に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム)を含む。
【０００４】
例として、ワイヤレス多元接続通信システムは、場合によってはユーザ機器(UE)と呼ばれ得る複数の通信デバイスのための通信を各々が同時にサポートする、いくつかの基地局を含み得る。基地局は、ダウンリンクチャネル(たとえば、基地局からUEへの送信用)およびアップリンクチャネル(たとえば、UEから基地局への送信用)上で通信デバイスと通信し得る。
【０００５】
いくつかのワイヤレスシステムでは、トラフィックは、(たとえば、干渉または雑音による)チャネル品質の瞬時変動に敏感であり得る低レイテンシフレーム構造を含み得る。そのような場合、広く離間した周期パイロットは、チャネルの特性を十分に明らかにしないことがある(たとえば、そのようなパイロットは、復調のための瞬時チャネル推定に適していないことがある)。一方、密に離間した周期パイロットは、かなりのオーバーヘッドをもたらし得る。
【発明の概要】
【発明が解決しようとする課題】
【０００６】
本開示は、一般にワイヤレス通信システムに関し、より詳細には、低レイテンシ通信のためのハイブリッドパイロット設計に関する改善されたシステム、方法、または装置に関し得る。基地局は、比較的疎な周期パイロットおよび低レイテンシバーストの1つまたは複数のシンボルに埋め込まれた密なパイロットを含むハイブリッドパイロット構成を選択することができる。ユーザ機器(UE)は、周期パイロットに基づく長期統計平均チャネル推定値(またはチャネル電力遅延プロファイル(PDP)、質量中心、干渉縞などのようなチャネルの長期統計値)および低レイテンシバーストに埋め込まれた密なパイロットに基づく(たとえば、復調のための)瞬時チャネル推定値を生成することができる。UEは、バーストとともに埋め込まれた制御チャネルを変換することによって瞬時チャネル推定値を精緻化する(すなわち、長期チャネルPDPに基づいて時間領域チャネルクリーンアップまたはウィンドウ処理を実行する)ことができる。場合によっては、基地局は、バーストの第1のシンボルに密なパイロットを埋め込み、低減された密度のパイロットを有する(またはパイロットトーンを有しない)後続低レイテンシシンボルを送信することができる。
【課題を解決するための手段】
【０００７】
UEにおけるワイヤレス通信の方法について説明する。本方法は、周期パイロット送信構成に少なくとも部分的に基づくパイロット信号の第1のセットを受信するステップと、バーストパイロット送信構成に少なくとも部分的に基づくパイロット信号の埋め込み済み第2のセットを含む低レイテンシバーストを受信するステップであって、バーストパイロット送信構成が周期パイロット送信構成とは異なる、ステップとを含むことができる。
【０００８】
UEにおけるワイヤレス通信のための装置について説明する。本装置は、周期パイロット送信構成に少なくとも部分的に基づくパイロット信号の第1のセットを受信するための手段と、バーストパイロット送信構成に少なくとも部分的に基づくパイロット信号の埋め込み済み第2のセットを含む低レイテンシバーストを受信するための手段であって、バーストパイロット送信構成が周期パイロット送信構成とは異なる、手段とを含むことができる。
【０００９】
UEにおけるワイヤレス通信のためのさらなる装置について説明する。本装置は、プロセッサと、プロセッサと電子通信しているメモリと、メモリに記憶された命令とを含むことができ、命令は、プロセッサによって、周期パイロット送信構成に少なくとも部分的に基づくパイロット信号の第1のセットを受信することと、バーストパイロット送信構成に少なくとも部分的に基づくパイロット信号の埋め込み済み第2のセットを含む低レイテンシバーストを受信することであって、バーストパイロット送信構成が周期パイロット送信構成とは異なる、受信することとを行うように実行可能である。
【００１０】
UEにおけるワイヤレス通信のためのコードを記憶した非一時的コンピュータ可読媒体について説明する。本コードは、周期パイロット送信構成に少なくとも部分的に基づくパイロット信号の第1のセットを受信することと、バーストパイロット送信構成に少なくとも部分的に基づくパイロット信号の埋め込み済み第2のセットを含む低レイテンシバーストを受信することであって、バーストパイロット送信構成が周期パイロット送信構成とは異なる、受信することとを行うように実行可能な命令を含むことができる。
【００１１】
上で説明した方法、装置、または非一時的コンピュータ可読媒体のいくつかの例は、パイロット信号の第1のセットに少なくとも部分的に基づいて長期チャネル推定値を生成することをさらに含むことができる。追加または代替として、いくつかの例は、パイロット信号の第2のセットに少なくとも部分的に基づいて瞬時チャネル推定値を生成することを含むことができる。
【００１２】
上で説明した方法、装置、または非一時的コンピュータ可読媒体のいくつかの例は、長期チャネル推定値および瞬時チャネル推定値を利用して低レイテンシバーストを復調することをさらに含むことができる。追加または代替として、いくつかの例は、長期チャネル推定値に基づいて基地局にチャネル状態情報メッセージを送信することを含むことができる。
【００１３】
上で説明した方法、装置、または非一時的コンピュータ可読媒体のいくつかの例は、長期チャネル推定値に少なくとも部分的に基づいて追跡ループを更新することをさらに含むことができる。追加または代替として、いくつかの例では、低レイテンシバーストは、1つまたは複数の制御チャネル送信を含む。
【００１４】
上で説明した方法、装置、または非一時的コンピュータ可読媒体のいくつかの例は、低レイテンシバーストの復調のために、1つまたは複数の制御チャネル送信をパイロットデータに変換することをさらに含むことができる。追加または代替として、いくつかの例は、変換された制御チャネルに基づいてチャネル推定値を精緻化することを含むことができる。
【００１５】
上で説明した方法、装置、または非一時的コンピュータ可読媒体のいくつかの例は、後続バースト送信構成に基づくパイロットを有しない後続低レイテンシバーストを受信することをさらに含むことができる。追加または代替として、いくつかの例では、バーストパイロット送信構成は、ランク1送信に基づいて埋め込まれたパイロット信号のセットを含む。
【００１６】
上で説明した方法、装置、または非一時的コンピュータ可読媒体のいくつかの例では、バーストパイロット送信構成は、ランク2送信に基づいて埋め込まれたパイロット信号のセットを含む。追加または代替として、いくつかの例では、バーストパイロット送信構成は、周期パイロット送信構成よりも高いパイロット密度を含む。
【００１７】
上で説明した方法、装置、または非一時的コンピュータ可読媒体のいくつかの例では、パイロット信号の埋め込み済み第2のセットは、復調パイロット信号である。
【００１８】
基地局におけるワイヤレス通信の方法について説明する。本方法は、周期パイロット送信構成に少なくとも部分的に基づくパイロット信号の第1のセットを送信するステップと、バーストパイロット送信構成に少なくとも部分的に基づいて低レイテンシバーストにパイロット信号の第2のセットを埋め込むステップであって、バーストパイロット送信構成が周期パイロット送信構成とは異なる、ステップと、パイロット信号の埋め込み済み第2のセットを含む低レイテンシバーストを送信するステップとを含むことができる。
【００１９】
基地局におけるワイヤレス通信のための装置について説明する。本装置は、周期パイロット送信構成に少なくとも部分的に基づくパイロット信号の第1のセットを送信するための手段と、バーストパイロット送信構成に少なくとも部分的に基づいて低レイテンシバーストにパイロット信号の第2のセットを埋め込むための手段であって、バーストパイロット送信構成が周期パイロット送信構成とは異なる、手段と、パイロット信号の埋め込み済み第2のセットを含む低レイテンシバーストを送信するための手段とを含むことができる。
【００２０】
基地局におけるワイヤレス通信のためのさらなる装置について説明する。本装置は、プロセッサと、プロセッサと電子通信しているメモリと、メモリに記憶された命令とを含むことができ、命令は、プロセッサによって、周期パイロット送信構成に少なくとも部分的に基づくパイロット信号の第1のセットを送信することと、バーストパイロット送信構成に少なくとも部分的に基づいて低レイテンシバーストにパイロット信号の第2のセットを埋め込むことであって、バーストパイロット送信構成が周期パイロット送信構成とは異なる、埋め込むことと、パイロット信号の埋め込み済み第2のセットを含む低レイテンシバーストを送信することとを行うように実行可能である。
【００２１】
基地局におけるワイヤレス通信のためのコードを記憶した非一時的コンピュータ可読媒体について説明する。本コードは、周期パイロット送信構成に少なくとも部分的に基づくパイロット信号の第1のセットを送信することと、バーストパイロット送信構成に少なくとも部分的に基づいて低レイテンシバーストにパイロット信号の第2のセットを埋め込むことであって、バーストパイロット送信構成が周期パイロット送信構成とは異なる、埋め込むことと、パイロット信号の埋め込み済み第2のセットを含む低レイテンシバーストを送信することとを行うように実行可能な命令を含むことができる。
【００２２】
上で説明した方法、装置、または非一時的コンピュータ可読媒体のいくつかの例は、周期パイロット送信構成よりも高いパイロット密度を含むバーストパイロット送信構成を選択することをさらに含むことができる。追加または代替として、いくつかの例は、ランク1送信方式の場合の低レイテンシバーストのチャネル電力遅延プロファイル(PDP)に対応する周波数領域におけるトーン密度を有するデータシンボルに埋め込まれたパイロット信号のセットを含むバーストパイロット送信構成を選択することを含むことができる。
【００２３】
上で説明した方法、装置、または非一時的コンピュータ可読媒体のいくつかの例は、ランク2送信方式の場合の低レイテンシバーストのチャネルPDPに対応する周波数領域におけるトーン密度を有するデータシンボルに埋め込まれたパイロット信号のセットを含むバーストパイロット送信構成を選択することをさらに含むことができる。追加または代替として、いくつかの例は、後続バーストパイロット送信構成に基づくパイロット信号のセットを有しない後続低レイテンシバーストを送信することを含むことができる。
【００２４】
上で説明した方法、装置、または非一時的コンピュータ可読媒体のいくつかの例では、低レイテンシバーストは、1つまたは複数の制御チャネル送信を含む。追加または代替として、いくつかの例では、パイロット信号の埋め込み済み第2のセットは、復調パイロット信号である。
【００２５】
上記では、以下の詳細な説明がより良く理解され得るように、本開示による例の特徴および技術的利点についてかなり広く概説した。さらなる特徴および利点が以下で説明される。開示する概念および具体例は、本開示の同じ目的を実施するための他の構造を変更または設計するための基礎として容易に利用され得る。そのような等価な構造は、添付の特許請求の範囲から逸脱しない。本明細書で開示する概念の特性、それらの編成と動作方法の両方は、添付の図とともに検討されると、関連する利点とともに以下の説明からより良く理解されよう。図の各々は、例示および説明のために提供され、特許請求の範囲の限界を定めるものではない。
【００２６】
以下の図面の参照によって、本開示の性質および利点のさらなる理解が得られ得る。添付図面では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルだけが本明細書で使用される場合、説明は、第2の参照ラベルにかかわらず、同じ第1の参照ラベルを有する同様の構成要素のうちのいずれにも適用可能である。
【図面の簡単な説明】
【００２７】
【図１】本開示の様々な態様による、低レイテンシ通信のためのハイブリッドパイロット設計に関するワイヤレス通信システムの一例を示す図である。
【図２】本開示の様々な態様による、低レイテンシ通信のためのハイブリッドパイロット設計に関するワイヤレス通信サブシステムの一例を示す図である。
【図３Ａ】本開示の様々な態様による、低レイテンシ通信のためのハイブリッドパイロット設計に関する送信構造の一例を示す図である。
【図３Ｂ】本開示の様々な態様による、低レイテンシ通信のためのハイブリッドパイロット設計に関する送信構造の一例を示す図である。
【図４】本開示の様々な態様による、低レイテンシ通信のためのハイブリッドパイロット設計に関するプロセスフローの一例を示す図である。
【図５】本開示の様々な態様による、低レイテンシ通信のためのハイブリッドパイロット設計に関する低レイテンシバースト構造の一例を示す図である。
【図６】本開示の様々な態様による、低レイテンシ通信のためのハイブリッドパイロット設計のために構成されたユーザ機器(UE)のブロック図である。
【図７】本開示の様々な態様による、低レイテンシ通信のためのハイブリッドパイロット設計のために構成されたUEのブロック図である。
【図８】本開示の様々な態様による、低レイテンシ通信のためのハイブリッドパイロット設計のために構成されたハイブリッドパイロットモジュールのブロック図である。
【図９】本開示の様々な態様による、低レイテンシ通信のためのハイブリッドパイロット設計のために構成されたUEを含むシステムのブロック図である。
【図１０】本開示の様々な態様による、低レイテンシ通信のためのハイブリッドパイロット設計のために構成された基地局のブロック図である。
【図１１】本開示の様々な態様による、低レイテンシ通信のためのハイブリッドパイロット設計のために構成された基地局ハイブリッドパイロットモジュールのブロック図である。
【図１２】本開示の様々な態様による、低レイテンシ通信のためのハイブリッドパイロット設計のために構成された基地局のブロック図である。
【図１３】本開示の様々な態様による、低レイテンシ通信のためのハイブリッドパイロット設計のために構成された基地局を含むシステムのブロック図である。
【図１４】本開示の様々な態様による、低レイテンシ通信のためのハイブリッドパイロット設計に関する方法を示すフローチャートである。
【図１５】本開示の様々な態様による、低レイテンシ通信のためのハイブリッドパイロット設計に関する方法を示すフローチャートである。
【図１６】本開示の様々な態様による、低レイテンシ通信のためのハイブリッドパイロット設計に関する方法を示すフローチャートである。
【図１７】本開示の様々な態様による、低レイテンシ通信のためのハイブリッドパイロット設計に関する方法を示すフローチャートである。
【図１８】本開示の様々な態様による、低レイテンシ通信のためのハイブリッドパイロット設計に関する方法を示すフローチャートである。
【図１９】本開示の様々な態様による、低レイテンシ通信のためのハイブリッドパイロット設計に関する方法を示すフローチャートである。
【発明を実施するための形態】
【００２８】
説明する特徴は、一般に、低レイテンシ通信のためのハイブリッドパイロット設計に関する改善されたシステム、方法、または装置に関する。いくつかのワイヤレス通信システムでは、チャネル推定値を収集するために周期パイロットシステムが使用され得る。だが、適用例によっては(たとえば、予測不可能な、または低レイテンシバーストトラフィックの場合)、周期送信は、復調に際してチャネルの特性を十分に明らかにしないことがある。したがって、ワイヤレスシステムは、(たとえば、周期パイロットと埋め込み済みパイロットの両方を使用する)ハイブリッドパイロット構造を採用し得る。したがって、長期チャネル統計値が周期パイロットによって追跡され得、瞬時チャネル推定値が埋め込み済みパイロット(たとえば、バースト性パイロット)および制御信号により作られ得る。
【００２９】
バースト性パイロット構成は、低レイテンシデータに埋め込まれた復調パイロットを使用して瞬時チャネル推定値を収集することができる。この設計方式は、周期パイロットオーバーヘッドを縮小することができ、埋め込み済みパイロットに対して低減された周期シグナリングをもたらし得る。瞬時チャネル推定値の品質は、低レイテンシデータに関連付けられ得る埋め込み済み制御信号を、制御情報が処理された後にパイロットに変換することによって、さらに強化され得る。構成はまた、複数の送信アンテナおよびビームフォーミングを利用する通信の瞬時チャネル推定値を取得するために広帯域復調基準信号(WB DMRS)パイロットを使用して適合され得る。周期パイロットを使用して、長期パラメータ推定値(たとえば、電力遅延プロファイル(PDP)、質量中心(COM)、干渉推定値など)を捕捉し、それにより、低レイテンシ復調のためのチャネル推定値を改善することができる。周期パイロットの使用はまた、UEのためにチャネル品質、データレート、およびランクを判断するためのチャネル状態フィードバックを提供することができる。いくつかの例では、周期パイロットが追跡ループに使用され得、埋め込み済みパイロットのチャネル推定値をブートストラップするために、復調基準信号(DMRS)パイロットが周期的に送られ得る。
【００３０】
周期パイロットと埋め込み済みパイロットの両方は、チャネル推定値を提供するために一緒に処理され得、低レイテンシ復調パイロットは、瞬時チャネル実現(instantaneous channel realization)を捕捉することができる一方、周期パイロットは、全体的なチャネル推定品質を改善するために使用される長期統計値を提供することができる。いくつかの例では、干渉推定値を改良するためにハイブリッドパイロット構造が使用され得る。たとえば、低レイテンシ復調/制御パイロットは、瞬時干渉特性を捕捉することができる一方、周期パイロットは、長期干渉縞の特性を明らかにするために使用され得る。瞬時干渉推定値は、異なる長期干渉グループに従って分類され得る。
【００３１】
以下の説明は、例を提供し、特許請求の範囲に記載の範囲、適用性、または例を限定するものではない。説明する要素の機能および構成において、本開示の範囲から逸脱することなく変更が加えられ得る。様々な例は、必要に応じて、様々な手順または構成要素を省略、置換、または追加することができる。たとえば、説明する方法は、説明する順序とは異なる順序で実行されてもよく、様々なステップが追加、省略、または組み合わされてもよい。また、いくつかの例に関して説明する特徴は、他の例において組み合わされ得る。
【００３２】
図1は、本開示の様々な態様による、ワイヤレス通信システム100の一例を示す。システム100は、基地局105、少なくとも1つのUE115、およびコアネットワーク130を含む。コアネットワーク130は、ユーザ認証、アクセス許可、追跡、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェースする。基地局105は、UE115との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク134(たとえば、X1など)を介して、直接的にまたは間接的に(たとえば、コアネットワーク130を通じて)のいずれかで、互いに通信し得る。
【００３３】
基地局105は、1つまたは複数の基地局アンテナを介して、UE115とワイヤレス通信することができる。基地局105の各々は、それぞれの地理的カバレージエリア110に通信カバレージを提供することができる。いくつかの例では、基地局105は、トランシーバ基地局、無線基地局、アクセスポイント、無線トランシーバ、NodeB、eNodeB(eNB)、ホームNodeB、ホームeNodeB、または何らかの他の適切な用語で呼ばれることがある。基地局105の地理的カバレージエリア110は、カバレージエリアの一部分のみを構成するセクタ(図示せず)に分割され得る。ワイヤレス通信システム100は、異なるタイプの基地局105(たとえば、マクロセル基地局またはスモールセル基地局)を含み得る。異なる技術のための重複する地理的カバレージエリア110があり得る。
【００３４】
いくつかの例では、ワイヤレス通信システム100は、ロングタームエボリューション(LTE)/LTEアドバンスト(LTE-A)ネットワークである。LTE/LTE-Aネットワークでは、発展型ノードB(eNB)という用語は、一般に基地局105を表すために使用され得る一方、UEという用語は、一般にUE115を表すために使用され得る。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を説明するために使用され得る3GPP用語である。
【００３５】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較すると、マクロセルと同じまたはマクロセルとは異なる(たとえば、認可、無認可などの)周波数帯域で動作し得る低電力基地局である。スモールセルは、様々な例に従って、ピコセル、フェムトセル、およびマイクロセルを含み得る。ピコセルは、たとえば、小さい地理的エリアをカバーし得、ネットワークプロバイダのサービスに加入しているUE115による無制限アクセスを可能にし得る。フェムトセルも、小さい地理的エリア(たとえば、自宅)をカバーし得、フェムトセルとの関連を有するUE115(たとえば、限定加入者グループ(CSG)内のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００３６】
ワイヤレス通信システム100は、同期動作または非同期動作をサポートし得る。同期動作では、基地局105は、同様のフレームタイミングを有し得、異なる基地局105からの送信は、時間的にほぼ整合され得る。非同期動作では、基地局105は、異なるフレームタイミングを有し得、異なる基地局105からの送信は、時間的に整合されないことがある。本明細書で説明する技法は、同期動作または非同期動作のいずれかに使用され得る。
【００３７】
様々な開示される例のいくつかに適応し得る通信ネットワークは、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、論理チャネルを介して通信するためにパケットセグメンテーションおよびリアセンブリを実行し得る。媒体アクセス制御(MAC)レイヤは、優先度処理および論理チャネルのトランスポートチャネルへの多重化を実行し得る。MACレイヤはまた、リンク効率を改善するためにMACレイヤにおいて再送信を行うためにハイブリッド自動再送要求(HARQ)を使用し得る。制御プレーンでは、無線リソース制御(RRC)プロトコルレイヤは、UE115と基地局105との間のRRC接続の確立、構成、およびメンテナンスを提供し得る。RRCプロトコルレイヤは、ユーザプレーンデータのための無線ベアラのコアネットワーク130によるサポートに使用されることもある。物理(PHY)レイヤでは、トランスポートチャネルは、物理チャネルにマッピングされ得る。
【００３８】
UE115は、ワイヤレス通信システム100全体にわたって分散されてよく、各UE115は、固定またはモバイルであってよい。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の適切な用語を含むか、または当業者によってそのように呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、マクロeNB、スモールセルeNB、中継基地局などを含む、様々なタイプの基地局およびネットワーク機器と通信できる場合がある。
【００３９】
ワイヤレス通信システム100に示す通信リンク125は、UE115から基地局105へのアップリンク(UL)送信、または基地局105からUE115へのダウンリンク(DL)送信を含み得る。ダウンリンク送信は順方向リンク送信と呼ばれることもあり、アップリンク送信は逆方向リンク送信と呼ばれることもある。各通信リンク125は、1つまたは複数のキャリアを含んでよく、各キャリアは、上で説明した様々な無線技術に従って変調された複数のサブキャリア(たとえば、異なる周波数の波形信号)からなる信号であってよい。各被変調信号は、異なるサブキャリア上で送信されてよく、制御情報(たとえば、基準信号、制御チャネルなど)、オーバーヘッド情報、ユーザデータなどを搬送し得る。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。フレーム構造が、FDD用に(たとえば、フレーム構造タイプ1)およびTDD用に(たとえば、フレーム構造タイプ2)定義され得る。
【００４０】
システム100のいくつかの実施形態では、基地局105またはUE115は、基地局105とUE115との間の通信品質および信頼性を改善するために、アンテナダイバーシティ方式を利用するための複数のアンテナを含み得る。追加または代替として、基地局105またはUE115は、同じまたは異なるコーディングされたデータを搬送する複数の空間レイヤを送信するためにマルチパス環境を利用し得る、多入力多出力(MIMO)技法を利用し得る。
【００４１】
ワイヤレス通信システム100は、複数のセルまたはキャリア上の動作をサポートし得、この機能は、キャリアアグリゲーション(CA)またはマルチキャリア動作と呼ばれることがある。キャリアはまた、コンポーネントキャリア(CC)、レイヤ、チャネルなどと呼ばれることがある。「キャリア」、「コンポーネントキャリア」、「セル」、および「チャネル」という用語は、本明細書で互換的に使用され得る。UE115は、キャリアアグリゲーションのための複数のダウンリンクCCおよび1つまたは複数のアップリンクCCとともに構成され得る。キャリアアグリゲーションは、FDDコンポーネントキャリアとTDDコンポーネントキャリアの両方とともに使用され得る。
【００４２】
LTEにおける時間間隔は、基本時間単位(たとえば、サンプリング周期、Ts=1/30,720,000秒)の倍数で表され得る。時間リソースは、0から1023まであるシステムフレーム番号(SFN)によって識別され得る10ms(Tf=307200・Ts)の長さの無線フレームに従って編成され得る。各フレームは、0から9まで番号付けされた10個の1msサブフレームを含み得る。サブフレームはさらに、2つの0.5msスロットに分割され得、スロットの各々は、(各シンボルにプリペンドされたサイクリックプレフィックスの長さに応じて)6個または7個の変調シンボル期間を含む。サイクリックプレフィックスを除くと、各シンボルは2048個のサンプル期間を含む。場合によっては、サブフレームは、送信時間間隔(TTI)とも呼ばれる最小スケジューリングユニットであり得る。他の場合には、TTIは、サブフレームよりも短くてよく、または(たとえば、短いTTIバーストにおいて、もしくは短いTTIを使用する選択されたコンポーネントキャリアにおいて)動的に選択され得る。
【００４３】
LTEシステムの場合のようないくつかのワイヤレスシステムでは、基地局105は、UE115のチャネル推定およびコヒーレント復調を支援するために、CRSのような周期パイロットシンボルを挿入し得る。CRSは、504個の異なるセル識別情報のうちの1つを含み得る。それらは、4位相シフトキーイング(QPSK)を使用して変調され、雑音および干渉に耐えられるように電力ブーストされ得る(たとえば、周囲のデータ要素よりも6dB高いレベルで送信され得る)。受信側UE115のアンテナポートまたはレイヤの数(最高4個)に基づいて、各リソースブロックにおける4〜16個のリソース要素にCRSが埋め込まれ得る。基地局105のカバレージエリア110におけるすべてのUE115によって利用され得るCRSに加えて、復調基準信号(DMRS)が特定のUE115に向けられてよく、それらのUE115に割り当てられたリソースブロック上でのみ送信され得る。DMRSは、DMRSが送信される各リソースブロックにおける6個のリソース要素上に信号を含み得る。場合によっては、DMRSの2つのセットが、隣接するリソース要素において送信され得る。場合によっては、チャネル状態情報基準信号(CSI-RS)と呼ばれる追加の基準信号が、CSIを生成するのを支援するために含まれ得る。UL上で、UE115は、それぞれリンク適応および復調のための周期サウンディング基準信号(SRS)およびUL DMRSの組合せを送信することができる。
【００４４】
本開示によれば、基地局105は、比較的疎な周期パイロットおよび低レイテンシバーストの1つまたは複数のシンボルに埋め込まれた密なパイロットを含むハイブリッドパイロット構成を選択することができる。UE115は、周期パイロットに基づく長期統計平均チャネル推定値および低レイテンシバーストに埋め込まれた密なパイロットに基づく(たとえば、復調のための)瞬時チャネル推定値を生成することができる。UE115は、バーストとともに埋め込まれた制御チャネルを変換することによって瞬時チャネル推定値を精緻化する(すなわち、長期チャネルPDPに基づいて時間領域チャネルクリーンアップまたはウィンドウ処理を実行する)ことができる。場合によっては、基地局105は、バーストの第1のシンボルに密なパイロットを埋め込み、低減された密度のパイロットを有する(またはパイロットトーンを有しない)後続低レイテンシシンボルを送信することができる。
【００４５】
図2は、本開示の様々な態様による、低レイテンシ通信のためのハイブリッドパイロット設計に関するワイヤレス通信サブシステム200の一例を示す。ワイヤレス通信サブシステム200は、UE115-aを含むことができ、UE115-aは、図1を参照して上で説明したUE115の一例であり得る。ワイヤレス通信サブシステム200はまた、基地局105-aを含むことができ、基地局105-aは、図1を参照して上で説明した基地局105の一例であり得る。基地局105-aは、図1を参照して全般的に上で説明したように、ダウンリンク205を介して、UE115と通信し得る。通信は、データ、制御情報、およびパイロット信号(たとえば、復調パイロット信号(DMRS)、広帯域DMRS(WBDMRS)、セル固有基準信号(CRS)など)を含むことができる。
【００４６】
場合によっては、基地局105-aは、周期パイロット信号210を送信することができ、周期パイロット信号210はUE115-aによって、長期チャネル推定値を決定するために、また制御信号を確実に復号するために使用され得る。UE115-aは周期パイロットを使用して、チャネルの特性を明らかにし、場合によっては通信品質を改善し得る。だが、場合によっては(たとえば、低レイテンシデータの場合)、長期チャネル推定値は、チャネルの特性を明らかにするのに十分ではないことがある。たとえば、低レイテンシデータは、周期パイロットによって十分に捕捉されていないことがある瞬時チャネル変動(たとえば、干渉)に影響されやすいことがある。したがって、ワイヤレスサブシステム200は、瞬時チャネル推定値のためのバーストパイロットおよび改善された長期チャネル推定値のための周期パイロットを採用するハイブリッドパイロット構造を使用することができる。場合によっては、周期パイロットは、バースト性パイロットと同様にビームフォーミングされないことがある。たとえば、周期CSI-RSパイロットがチャネル統計値追跡およびCSIフィードバックに使用され得る一方、DMRSパイロットはビームフォーミングされたバーストにおいて使用され得る。
【００４７】
たとえば、ダウンリンク205は、周期パイロット信号210とバーストパイロット信号215の両方を含み得る。周期パイロット信号210は、長期チャネルパラメータ推定値(たとえば、電力遅延プロファイル(PDP)、質量中心(COM)、干渉など)を確立および維持するために固定間隔で送信され得る。場合によっては、周期パイロット信号210は、UE115-aにおいて使用され得るチャネル品質、データレート、およびランクを判断するためのチャネル状態フィードバックを提供することができる。バーストパイロット信号215は、低レイテンシデータに埋め込まれ得、短期チャネル変動の特性を明らかにするために使用され得る。したがって、低レイテンシ送信の間に、UE115-aは、制御信号を復号するために長期チャネル推定値と短期チャネル推定値の両方を使用することができる。場合によっては、埋め込み済みパイロットおよび制御信号は、瞬時干渉特性を捕捉するために使用され得、周期パイロット信号は、長期干渉縞の特性を明らかにするために使用され得る。ダウンリンク205を参照して説明しているが、サブシステム200は、(たとえば、アップリンクを介した)UE115-aから基地局105-aへの通信にハイブリッドパイロット構造を使用することができる。
【００４８】
したがって、基地局105-aは、比較的疎な周期パイロット信号210およびバーストパイロット信号215を含むハイブリッドパイロット構成を選択することができる。UE115-aは、周期パイロット信号210に基づく長期統計平均チャネル推定値および密なバーストパイロット信号215に基づく(たとえば、復調のための)瞬時チャネル推定値を生成することができる。UE115-aは、バーストとともに埋め込まれた制御チャネルを変換することによって瞬時チャネル推定値を精緻化する(すなわち、長期チャネルPDPに基づいて時間領域チャネルクリーンアップまたはウィンドウ処理を実行する)ことができる。場合によっては、基地局105-aは、バーストの第1のシンボルにバーストパイロット信号215を埋め込み、低減された密度のパイロットを有する(またはパイロットトーンを有しない)後続低レイテンシシンボルを送信することができる。
【００４９】
図3Aは、本開示の様々な態様による、低レイテンシ通信のためのハイブリッドパイロット設計に関するバーストパイロット送信構造301の一例を示す。バーストパイロット送信構造301は、図1〜図2を参照して上で説明したUE115と基地局105との間の送信の態様を示し得る。バーストパイロット送信構造301は、埋め込み済みバーストパイロット信号215-aを有する第1の送信305-aおよび埋め込み済みパイロットを有しない第2の送信310-aを含み得る。送信305-aおよび送信310-aは、いくつかのトーンに拡散されたデータリソース要素325-aおよび制御信号315-aを含み得る。UE115は、埋め込み済みバーストパイロット信号215-aを使用して、瞬時チャネル推定値を導出し、その後、制御信号315-aを復号することができる。さらに、UE115は、復号された制御信号315-aをパイロットデータに変換して、瞬時チャネル推定値を精緻化するとともに、低レイテンシバースト305-aを復調することができる。たとえば、UE115は、長期チャネルPDPに基づいて時間領域チャネルクリーンアップまたはウィンドウ処理を実行することができる。
【００５０】
たとえば、第1の低レイテンシ送信305-aがランク1受信機において(たとえば、UEにおいて)受信され得る。バーストパイロット送信構造301によれば、バーストパイロット信号215-aが4番目のトーンごとに埋め込まれ得る(たとえば、4つのトーン320ごとに、2つのデータリソース要素325-a、1つの制御信号315-a、および1つのバーストパイロット信号215-aがあり得る)。バーストパイロット信号215-aはUE115によって、制御信号315-aが復号され得るように瞬時チャネル推定値を取得するために使用され得る。第2の低レイテンシ送信310-aが第1の低レイテンシ送信305-aの直後に発生し得る。第2の低レイテンシ送信310-aは、低レイテンシデータを有する埋め込み済みバーストパイロット信号215-aを含まないことがあるが、代わりに、バーストパイロット信号215-aをデータリソース要素325-aに置き換え得る。第1の低レイテンシ送信305-aからの瞬時チャネル推定値を使用して、埋め込み済み制御信号315-aが復号され得る。制御信号315-aが復号されたとき、制御信号315-aはパイロットデータに変換され得、パイロットデータが使用されて、データリソース要素325-aの復調のためにチャネル推定値がさらに精緻化され得る。
【００５１】
いくつかの例では、バーストパイロット送信構造301は、ランク1受信機において受信された低レイテンシバースト(たとえば、制御および低レイテンシデータを含むもの)とともに使用され得る。そのようなシナリオでは、バーストパイロット信号215-aは、低レイテンシバーストの4番目のトーンごとに埋め込まれ得る。バーストパイロット信号215-aは、制御シンボルが復号され得るように瞬時チャネル推定値を取得するために使用され得る。制御シンボルが復号されると、続いてデータが復号され得る。第2の低レイテンシバースト310-aは第1の低レイテンシバースト305-aの直後に発生し得る。第2の低レイテンシバースト310-aは、低レイテンシデータを有する埋め込み済みパイロットを含まないことがあり、第1の低レイテンシバーストからのチャネル推定値を使用して、制御シンボルが復号され得る。制御シンボルが復号されたとき、制御シンボルは、チャネル推定値をさらに精緻化し得るパイロットシンボルに変換され得る。
【００５２】
図3Bは、本開示の様々な態様による、低レイテンシ通信のためのハイブリッドパイロット設計に関するバーストパイロット送信構造302の一例を示す。バーストパイロット送信構造302は、図1〜図2を参照して上で説明したUE115と基地局105との間の送信の態様であり得る。バーストパイロット送信構造302は、埋め込み済みバーストパイロット信号215-bを有する第1の送信305-bおよび埋め込み済みパイロットを有しない第2の送信310-bを含み得る。UE115は、埋め込み済みバーストパイロット信号215-bを使用して、瞬時チャネル推定値を導出し、その後、制御信号315-bを復号することができる。さらに、UE115は、復号された制御信号315-bをパイロット信号に変換して、送信310-bのために瞬時チャネル推定値を精緻化する(すなわち、長期チャネルPDPに基づいて時間領域チャネルクリーンアップまたはウィンドウ処理を実行する)ことができる。
【００５３】
たとえば、バーストパイロット送信構造302は、ランク2受信機において(たとえば、UE115において)受信され得る第1の低レイテンシ送信305-bを含み得る。バーストパイロット信号215-bのセットが(たとえば、2つの送信ポートが周波数分割多重化または符号分割多重化される)連続トーンに埋め込まれ得る。たとえば、6個のトーンのセット330は、2つのバーストパイロット信号215-b、2つの制御信号315-b、および2つのデータリソース要素325-aを含み得る。第1の送信305-bの後、UE115は、バーストパイロット信号215-bを使用して、瞬時チャネル推定値を導出することができ、瞬時チャネル推定値は、制御信号315-bを復号するために使用され得る。第2の低レイテンシ送信310-bが送信305-bの後に発生し得、チャネル推定のためのパイロットを含まないことがある。代わりに、UE115は、第1の送信305-bの瞬時チャネル推定値を使用して、制御信号315-bを復号することができる。制御信号315-bが復号されると、UE115は、制御信号315-bをパイロット信号に変換し、それにより瞬時チャネル推定値を精緻化することができる。
【００５４】
いくつかの例では、バーストパイロット送信構造302は、ランク2受信機において受信された低レイテンシバースト(たとえば、データシンボルおよび制御シンボルのペアを含むもの)とともに使用され得る。そのようなシナリオでは、2つのバーストパイロット信号215-bは、割り振られたリソースの始めにおいて連続トーンに埋め込まれ得る。また別の例では、バーストパイロット信号215-bは、低レイテンシトラフィックが使用されていることが発見されたときに埋め込まれてよく、パイロットおよび制御構造は、現在のチャネルトラフィックに最も効率的に対応するように最適化され得る。
【００５５】
図4は、本開示の様々な態様による、低レイテンシ通信のためのハイブリッドパイロット設計に関するプロセスフロー400の一例を示す。プロセスフロー400は、UE115-bを含むことができ、UE115-bは、図1〜図2を参照して上で説明したUE115の一例であり得る。プロセスフロー400はまた、基地局105-bを含むことができ、基地局105-bは、図1〜図2を参照して上で説明した基地局105の一例であり得る。プロセスフローは、図3Aおよび図3Bを参照して上で説明したバーストパイロット送信構造の一態様であり得る。
【００５６】
ステップ405において、パイロット構成を選択した後、基地局105-bは、UE115-bに周期パイロット信号の第1のセットを送信することができる。パイロット信号は、周期パイロット送信構成に基づき得る。UE115-bは、ステップ405において周期パイロット信号を受信することができ、ステップ410においてUE115-bは、パイロットの第1のセットに少なくとも部分的に基づいて長期チャネル推定値を生成することができる。場合によっては、UE115-bは、長期チャネル推定値に基づいて基地局にチャネル状態情報メッセージを送信することができる。この場合または他の場合には、UE115-bは、長期チャネル推定値に少なくとも部分的に基づいて追跡ループを更新することができる。
【００５７】
ステップ415において、基地局105-bは、バーストパイロット送信構成に基づいて低レイテンシバーストにパイロット信号の第2のセットを埋め込むことができる。場合によっては、基地局105-bは、ランク1送信方式の場合の低レイテンシバーストのチャネル電力遅延プロファイル(PDP)に対応する周波数領域におけるトーン密度を有するデータシンボルに埋め込まれたパイロット信号のセットを含むバーストパイロット送信構成を選択することができる。別の場合には、基地局105-bは、ランク2送信方式の場合の低レイテンシバーストのチャネルPDPに対応する周波数領域におけるトーン密度を有するデータシンボルに埋め込まれたパイロット信号のセットを含むバーストパイロット送信構成を選択することができる。
【００５８】
ステップ420において、パイロット信号(たとえば、復調パイロット信号)の埋め込み済み第2のセットを含む低レイテンシバーストを、基地局105-bは送信することができ、UE115-bは受信することができる。いくつかの例では、低レイテンシバーストは、1つまたは複数の制御チャネル送信を含むことができる。場合によっては、パイロット信号の埋め込み済み第2のセットは、バーストパイロット送信構成に基づき得、バーストパイロット送信構成は、周期パイロット送信構成とは異なり得る(たとえば、バーストパイロット送信構成は、周期パイロット送信構成よりも高いパイロット密度を含む)。いくつかの例では、バーストパイロット送信構成は、ランク1送信に基づいて埋め込まれたパイロット信号のセットを含むことができる。他の例では、バーストパイロット送信構成は、ランク2送信に基づいて埋め込まれたパイロット信号のセットを含むことができる。ステップ425において、UE115-bは、埋め込み済みパイロットに少なくとも部分的に基づいて瞬時チャネル推定値を決定することができる。場合によっては、基地局105-bは、後続バーストパイロット送信構成に基づくパイロット信号のセットを有しない後続低レイテンシバーストを送信することができる。
【００５９】
ステップ430において、UE115-bは、瞬時チャネル推定値を使用して制御チャネル信号を復号することができる。場合によっては、UE115-bは、長期チャネル推定値(たとえば、周期パイロットから導出されたもの)とともに瞬時チャネル推定値(たとえば、埋め込み済みパイロットから導出されたもの)を使用して、制御シンボルを復号することができる。ステップ435において、UE115-bは、低レイテンシバーストの復調のために、1つまたは複数の制御チャネル送信をパイロットデータに変換することができる。
【００６０】
ステップ440において、UE115-bは、変換された制御チャネルに基づいてチャネル推定値を精緻化することができる。ステップ445において、UE115-bは、精緻化されたチャネル推定値を使用して低レイテンシバーストに含まれるデータを復号することができる。ステップ450において、基地局105-bは、周期パイロット送信構成に従って、UE115-bに周期パイロット信号を送信することができる。
【００６１】
図5は、本開示の様々な態様による、低レイテンシ通信のためのハイブリッドパイロット設計に関する低レイテンシバースト構造500の一例を示す。場合によっては、ワイヤレス通信システム(たとえば、図1のワイヤレス通信システム100)は、2つ以上の階層的物理レイヤ構造を有し得る。たとえば、第2の階層的レイヤは、第1の階層的レイヤと比較して、低いレイテンシを有し得る。無線フレーム510は、DLサブフレーム525、特殊サブフレーム530、およびULサブフレーム535を含む10個の1msサブフレームを含むことができ、それらの各々は、データシンボルを送信するために使用され得る。本開示で説明するパイロット構成は、時分割複信(TDD)フレーム構造または周波数分割複信(FDD)フレーム構造とともに使用されてよく、それらのいずれも、低レイテンシバーストのための縮小されたシンボル持続時間を含み得る。低レイテンシバースト構造500は、TDDのためのバースト構造を示し得る。ただし、FDDシステムも低レイテンシバースト構造を含み得る。FDDの場合、システムは、ULからDLに、またはその逆方向で無線を切り替えるための特殊サブフレーム530を含まないことがある。
【００６２】
いくつかのDLサブフレーム525は、(たとえば、第2のレイヤにおいて)DLサブフレーム525、特殊サブフレーム530、およびULサブフレーム535とは異なる階層的レイヤに従って送信され得るバーストサブフレーム540に置き換えられ得る。いくつかの例では、バーストサブフレーム540は、第1の階層的レイヤにおけるサブフレームよりも多く数のシンボル(たとえば、14個のシンボルではなく88個のシンボル)を含むことができ、DLシンボル545、特殊シンボル550、およびULシンボル555を含み得る。場合によっては、シンボル545、550、および555は、第1の階層的レイヤに従って送信されるシンボルに対して、縮小されたシンボル持続時間を有し得る。縮小されたシンボル持続時間は、縮小されたレイテンシを伴う送信の肯定応答を可能にし得る。
【００６３】
第1のレイヤTDDフレーム510では、UE115は、DLサブフレーム525においてDL送信を受信し、第1のレイヤHARQ方式に従って肯定応答(ACK)を送信することができ、第1のレイヤHARQ方式では、ACKは、DL送信の受信からk+4個目のサブフレーム以降で最初の利用可能なサブフレームにおいて送信される。場合によっては、DLサブフレーム525からk+4番目のサブフレームは別のDLサブフレームであり得、その後のULサブフレーム565においてACK/NACK560が送信され得る。したがって、この例では、DLサブフレーム525と当該サブフレームに関連するACK/NACK560との間に7msの遅延がある。(たとえば、否定応答(NACK)を受信した後)再送信がふさわしい場合、後続DLサブフレームに対して再送信がスケジュールされ得る。再送信タイミングは、比較的長い往復時間(RTT)(たとえば、最小11ms)を生じさせ得る。DL送信から4番目のサブフレームにおいて肯定応答が送られる(FDDモードでは、ACK/NACKは一貫して、k+4番目のサブフレームにおいて送信され得る)場合、最小RTTは8msであり得る。
【００６４】
バーストサブフレーム540内で、ACKを提供するためのレイテンシは、第1の階層的レイヤにおける送信のためのレイテンシよりも小さいことがある。場合によっては、第2の階層的レイヤを使用する送信は、第1のレイヤの送信の場合と同様のHARQ技法を利用することができる。すなわち、ACKは、k+4(ここで、kは元のシンボル送信を表す)番目のシンボルにおいて、またはその後の送信のための最初の利用可能なシンボルにおいて提供され得る。場合によっては、4以外のオフセットが第2の階層的レイヤに使用され得る。たとえば、UE115は、シンボル545においてDL送信を受信し、ULシンボル555においてACK/NACK570を提供することができ、ULシンボル555は、DLシンボル545におけるDL送信の受信から5個目のシンボルである(理由は、送信から4番目のシンボルが特殊シンボル550であることである)。
【００６５】
したがって、UE115は、バーストサブフレーム540内でDL送信のACK/NACK570を提供することができ、それは、DLシンボル545におけるDL送信の受信から1ms未満である。いくつかの例では、図3Aに関して上で説明したのと同様に、バーストサブフレーム540におけるシンボルのシンボル持続時間は、11.36μsであり得、結果としてこの例では、DLシンボル545送信から56.8μsで肯定応答が提供される。次いでeNBは、任意の必要な再送信をスケジュールすることができ、いくつかの例では、結果的に約100μs以下のRTTをもたらし得る。
【００６６】
ACK/NACK570は、UE115がDLシンボル545を受信することに関して説明しているが、UL送信の場合も同様の機能が実行されてよい。たとえば、UEは、eNBにULシンボル580を送信することができ、ULシンボル580はeNBによって、DLシンボル585において提供されるACK/NACK575を通じて確認応答され得る。再送信が必要である場合、そのような再送信は、UEから後続ULシンボルにおいて提供され得、したがってここでも、いくつかの例では、結果的に約100μs以下のRTTをもたらし得る。したがって、バーストサブフレーム540における送信に関連するレイテンシはかなり縮小され得る。そのような縮小されたレイテンシは、全体的な送信時間を縮小し得る縮小されたRTTを通じて、データレートの向上を実現することができる。
【００６７】
基地局は、比較的疎な周期パイロットおよび低レイテンシバーストの1つまたは複数のシンボルに埋め込まれた密なパイロットを含むハイブリッドパイロット構成を選択することができる。ユーザ機器(UE)は、周期パイロットに基づく長期統計平均チャネル推定値および低レイテンシバーストに埋め込まれた密なパイロットに基づく(たとえば、復調のための)瞬時チャネル推定値を生成することができる。UEは、バーストとともに埋め込まれた制御チャネルを変換することによって瞬時チャネル推定値を精緻化することができる。場合によっては、基地局は、バーストの第1のシンボルに密なパイロットを埋め込み、低減された密度のパイロットを有する(またはパイロットトーンを有しない)後続低レイテンシシンボルを送信することができる。
【００６８】
図6は、本開示の様々な態様による、低レイテンシ通信のためのハイブリッドパイロット設計のために構成されたUE115-cのブロック図600を示す。UE115-cは、図1〜図5を参照して説明したUE115の態様の一例であり得る。UE115-cは、受信機605、ハイブリッドパイロットモジュール610、または送信機615を含み得る。UE115-cは、プロセッサも含み得る。これらの構成要素の各々は、互いに通信していることがある。
【００６９】
UE115-cの構成要素は、個別にまたは集合的に、適用可能な機能の一部または全部をハードウェアで実行するように適合された少なくとも1つの特定用途向け集積回路(ASIC)を用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、フィールドプログラマブルゲートアレイ(FPGA)、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００７０】
受信機605は、パケット、ユーザデータ、または様々な情報チャネル(たとえば、制御チャネル、データチャネル、および低レイテンシ通信のためのハイブリッドパイロット設計に関係する情報など)に関連する制御情報のような情報を受信し得る。情報は、ハイブリッドパイロットモジュール610に、またUE115-cの他の構成要素に渡され得る。いくつかの例では、受信機605は、後続バースト送信構成に基づくパイロットを有しない後続低レイテンシバーストを受信し得る。
【００７１】
ハイブリッドパイロットモジュール610は、周期パイロット送信構成に少なくとも部分的に基づくパイロット信号の第1のセットを受信し、バーストパイロット送信構成に少なくとも部分的に基づくパイロット信号の埋め込み済み第2のセットを含む低レイテンシバーストを受信することができ、バーストパイロット送信構成が周期パイロット送信構成とは異なる。
【００７２】
送信機615は、UE115-cの他の構成要素から受信された信号を送信することができる。いくつかの実施形態では、送信機615はトランシーバモジュール内で受信機605とコロケートされ得る。送信機615は、単一のアンテナを含み得るか、または複数のアンテナを含み得る。いくつかの例では、送信機615は、長期チャネル推定値に基づいて基地局にチャネル状態情報メッセージを送信することができる。
【００７３】
図7は、本開示の様々な態様による、低レイテンシ通信のためのハイブリッドパイロット設計に関するUE115-dのブロック図700を示す。UE115-dは、図1〜図6を参照して説明したUE115の態様の一例であり得る。UE115-dは、受信機605-a、ハイブリッドパイロットモジュール610-a、または送信機615-aを含み得る。UE115-dは、プロセッサも含み得る。これらの構成要素の各々は、互いに通信していることがある。ハイブリッドパイロットモジュール610-aはまた、周期パイロットモジュール705と、バーストパイロットモジュール710とを含み得る。
【００７４】
UE115-dの構成要素は、個別にまたは集合的に、適用可能な機能の一部または全部をハードウェアで実行するように適合された少なくとも1つのASICを用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、FPGA、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００７５】
受信機605-aは、ハイブリッドパイロットモジュール610-aに、またUE115-dの他の構成要素に渡され得る情報を受信し得る。ハイブリッドパイロットモジュール610-aは、図6を参照して上で説明した動作を実行することができる。送信機615-aは、UE115-dの他の構成要素から受信された信号を送信することができる。
【００７６】
周期パイロットモジュール705は、図2〜図5を参照して上で説明したように、周期パイロット送信構成に少なくとも部分的に基づくパイロット信号の第1のセットを受信し得る。
【００７７】
バーストパイロットモジュール710は、図2〜図5を参照して上で説明したように、バーストパイロット送信構成に少なくとも部分的に基づくパイロット信号の埋め込み済み第2のセットを含む低レイテンシバーストを受信することができ、バーストパイロット送信構成が周期パイロット送信構成とは異なる。いくつかの例では、バーストパイロット送信構成は、周期パイロット送信構成よりも高いパイロット密度を含む。いくつかの例では、パイロット信号の埋め込み済み第2のセットは、復調パイロット信号である。
【００７８】
図8は、本開示の様々な態様による、低レイテンシ通信のためのハイブリッドパイロット設計に関するハイブリッドパイロットモジュール610-bのブロック図800を示す。ハイブリッドパイロットモジュール610-bは、図6〜図7を参照して説明したハイブリッドパイロットモジュール610の態様の一例であり得る。ハイブリッドパイロットモジュール610-bは、周期パイロットモジュール705-aと、バーストパイロットモジュール710-aとを含み得る。これらのモジュールの各々は、図7を参照して上で説明した機能を実行することができる。ハイブリッドパイロットモジュール610-bはまた、長期チャネル推定モジュール805と、瞬時チャネル推定モジュール810と、復調器815と、制御チャネル変換モジュール820と、送信ランクモジュール825とを含み得る。
【００７９】
ハイブリッドパイロットモジュール610-bの構成要素は、個別にまたは集合的に、適用可能な機能の一部または全部をハードウェアで実行するように適合された少なくとも1つのASICを用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、FPGA、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００８０】
長期チャネル推定モジュール805は、図2〜図5を参照して上で説明したように、パイロット信号の第1のセットに少なくとも部分的に基づいて長期チャネル推定値を生成することができる。
【００８１】
瞬時チャネル推定モジュール810は、図2〜図5を参照して上で説明したように、パイロット信号の第2のセットに少なくとも部分的に基づいて瞬時チャネル推定値を生成することができる。瞬時チャネル推定モジュール810はまた、変換された制御チャネルに基づいてチャネル推定値を精緻化することができる。
【００８２】
復調器815は、図2〜図5を参照して上で説明したように、長期チャネル推定値および瞬時チャネル推定値を利用して低レイテンシバーストを復調することができる。
【００８３】
制御チャネル変換モジュール820は、図2〜図5を参照して上で説明したように、低レイテンシバーストが1つまたは複数の制御チャネル送信を含み得るように構成され得る。制御チャネル変換モジュール820はまた、低レイテンシバーストの復調のために、1つまたは複数の制御チャネル送信をパイロットデータに変換することができる。
【００８４】
送信ランクモジュール825は、図2〜図5を参照して上で説明したように、ランク1送信に基づいて埋め込まれたパイロット信号のセットをバーストパイロット送信構成が含み得るように構成され得る。いくつかの例では、バーストパイロット送信構成は、ランク2送信に基づいて埋め込まれたパイロット信号のセットを含む。
【００８５】
図9は、本開示の様々な態様による、低レイテンシ通信のためのハイブリッドパイロット設計のために構成されたUE115を含むシステム900の図を示す。システム900は、UE115-eを含むことができ、UE115-eは、図1〜図8を参照して上で説明したUE115の一例であり得る。UE115-eは、ハイブリッドパイロットモジュール910を含むことができ、ハイブリッドパイロットモジュール910は、図6〜図8を参照して説明したハイブリッドパイロットモジュール610の一例であり得る。UE115-eはまた、追跡ループモジュール925を含み得る。UE115-eはまた、通信を送信するための構成要素および通信を受信するための構成要素を含む、双方向音声およびデータ通信のための構成要素を含み得る。たとえば、UE115-eは、UE115-fまたは基地局105-cと双方向に通信し得る。
【００８６】
追跡ループモジュール925は、図2〜図5を参照して上で説明したように、長期チャネル推定値に少なくとも部分的に基づいて追跡ループを更新することができる。たとえば、追跡ループモジュール925は、RFからベースバンドへの変換のために適正な周波数をUE115-eが使用していることを確認するための堅牢な周波数追跡に使用され得る。
【００８７】
UE115-eはまた、各々が、直接的または間接的に、(たとえば、バス945を介して)互いに通信することができるプロセッサモジュール905と、(ソフトウェア(SW)920を含む)メモリ915と、トランシーバモジュール935と、1つまたは複数のアンテナ940とを含み得る。トランシーバモジュール935は、上で説明したように、アンテナ940またはワイヤードリンクもしくはワイヤレスリンクを介して、1つまたは複数のネットワークと双方向に通信することができる。たとえば、トランシーバモジュール935は、基地局105または別のUE115と双方向に通信し得る。トランシーバモジュール935は、パケットを変調し、変調されたパケットを送信のためにアンテナ940に提供し、アンテナ940から受信されたパケットを復調するためのモデムを含み得る。UE115-eは単一のアンテナ940を含んでよいが、UE115-eは、複数のワイヤレス送信を同時に送信または受信することができる複数のアンテナ940を有してもよい。
【００８８】
メモリ915は、ランダムアクセスメモリ(RAM)と読取り専用メモリ(ROM)とを含み得る。メモリ915は、実行されると、本明細書で説明する様々な機能(たとえば、低レイテンシ通信のためのハイブリッドパイロット設計など)をプロセッサモジュール905に実行させる命令を含む、コンピュータ可読コンピュータ実行可能のソフトウェア/ファームウェアコード920を記憶し得る。代替として、ソフトウェア/ファームウェアコード920は、プロセッサモジュール905によって直接実行可能ではなくてもよく、(たとえば、コンパイルされ実行されると)本明細書で説明する機能をコンピュータに実行させてもよい。プロセッサモジュール905は、インテリジェントハードウェアデバイス(たとえば、中央処理装置(CPU)、マイクロコントローラ、ASICなど)を含み得る。
【００８９】
図10は、本開示の様々な態様による、低レイテンシ通信のためのハイブリッドパイロット設計のために構成された基地局105-dのブロック図1000を示す。基地局105-dは、図1〜図9を参照して説明した基地局105の態様の一例であり得る。基地局105-dは、受信機1005、基地局ハイブリッドパイロットモジュール1010、または送信機1015を含み得る。基地局105-dは、プロセッサも含み得る。これらの構成要素の各々は、互いに通信していることがある。
【００９０】
基地局105-dの構成要素は、個別にまたは集合的に、適用可能な機能の一部または全部をハードウェアで実行するように適合された少なくとも1つのASICを用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、FPGA、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００９１】
受信機1005は、パケット、ユーザデータ、または様々な情報チャネル(たとえば、制御チャネル、データチャネル、および低レイテンシ通信のためのハイブリッドパイロット設計に関係する情報など)に関連する制御情報のような情報を受信し得る。情報は、基地局ハイブリッドパイロットモジュール1010に、また基地局105-dの他の構成要素に渡され得る。
【００９２】
基地局ハイブリッドパイロットモジュール1010は、周期パイロット送信構成に少なくとも部分的に基づくパイロット信号の第1のセットを送信することと、バーストパイロット送信構成に少なくとも部分的に基づいて低レイテンシバーストにパイロット信号の第2のセットを埋め込むことであって、バーストパイロット送信構成が周期パイロット送信構成とは異なる、埋め込むことと、パイロット信号の埋め込み済み第2のセットを含む低レイテンシバーストを送信することとを行うことができる。
【００９３】
送信機1015は、基地局105-dの他の構成要素から受信された信号を送信することができる。いくつかの実施形態では、送信機1015はトランシーバモジュール内で受信機1005とコロケートされ得る。送信機1015は、単一のアンテナを含み得るか、または複数のアンテナを含み得る。
【００９４】
図11は、本開示の様々な態様による、低レイテンシ通信のためのハイブリッドパイロット設計に関する基地局105-eのブロック図1100を示す。基地局105-eは、図1〜図10を参照して説明した基地局105の態様の一例であり得る。基地局105-eは、受信機1005-a、基地局ハイブリッドパイロットモジュール1010-a、または送信機1015-aを含み得る。基地局105-eは、プロセッサも含み得る。これらの構成要素の各々は、互いに通信していることがある。基地局ハイブリッドパイロットモジュール1010-aはまた、BS周期パイロットモジュール1105と、BSバーストパイロットモジュール1110と、バーストモジュール1115とを含み得る。
【００９５】
基地局105-eの構成要素は、個別にまたは集合的に、適用可能な機能の一部または全部をハードウェアで実行するように適合された少なくとも1つのASICを用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、FPGA、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【００９６】
受信機1005-aは、基地局ハイブリッドパイロットモジュール1010-aに、また基地局105-eの他の構成要素に渡され得る情報を受信し得る。基地局ハイブリッドパイロットモジュール1010-aは、図10を参照して上で説明した動作を実行することができる。送信機1015-aは、基地局105-eの他の構成要素から受信された信号を送信することができる。
【００９７】
BS周期パイロットモジュール1105は、図2〜図5を参照して上で説明したように、周期パイロット送信構成に少なくとも部分的に基づくパイロット信号の第1のセットを送信することができる。
【００９８】
BSバーストパイロットモジュール1110は、図2〜図5を参照して上で説明したように、バーストパイロット送信構成に少なくとも部分的に基づいて低レイテンシバーストにパイロット信号の第2のセットを埋め込むことができ、バーストパイロット送信構成が周期パイロット送信構成とは異なる。いくつかの例では、パイロット信号の埋め込み済み第2のセットは、復調パイロット信号である。
【００９９】
バーストモジュール1115は、図2〜図5を参照して上で説明したように、パイロット信号の埋め込み済み第2のセットを含む低レイテンシバーストを送信することができる。バーストモジュール1115はまた、後続バーストパイロット送信構成に基づくパイロット信号のセットを有しない後続低レイテンシバーストを送信することができる。いくつかの例では、低レイテンシバーストは、1つまたは複数の制御チャネル送信を含む。
【０１００】
図12は、本開示の様々な態様による、低レイテンシ通信のためのハイブリッドパイロット設計に関する基地局ハイブリッドパイロットモジュール1010-bのブロック図1200を示す。基地局ハイブリッドパイロットモジュール1010-bは、図10〜図11を参照して説明した基地局ハイブリッドパイロットモジュール1010の態様の一例であり得る。基地局ハイブリッドパイロットモジュール1010-bは、BS周期パイロットモジュール1105-aと、BSバーストパイロットモジュール1110-aと、バーストモジュール1115-aとを含み得る。これらのモジュールの各々は、図11を参照して上で説明した機能を実行することができる。基地局ハイブリッドパイロットモジュール1010-bはまた、パイロット密度モジュール1205と、BS送信ランクモジュール1210とを含み得る。
【０１０１】
基地局ハイブリッドパイロットモジュール1010-bの構成要素は、個別にまたは集合的に、適用可能な機能の一部または全部をハードウェアで実行するように適合された少なくとも1つのASICを用いて実装され得る。代替として、機能は、少なくとも1つのIC上で、1つまたは複数の他の処理ユニット(またはコア)によって実行されてもよい。他の実施形態では、当技術分野で知られている任意の方法でプログラムされ得る他のタイプの集積回路(たとえば、ストラクチャード/プラットフォームASIC、FPGA、または別のセミカスタムIC)が使用され得る。各ユニットの機能はまた、1つまたは複数の汎用または特定用途向けプロセッサによって実行されるようにフォーマットされた、メモリにおいて具現化された命令を用いて、全体的または部分的に実装され得る。
【０１０２】
パイロット密度モジュール1205は、図2〜図5を参照して上で説明したように、周期パイロット送信構成よりも高いパイロット密度を含むバーストパイロット送信構成を選択することができる。
【０１０３】
BS送信ランクモジュール1210は、図2〜図5を参照して上で説明したように、ランク1送信方式の場合の低レイテンシバーストのチャネルPDPに対応する周波数領域におけるトーン密度を有するデータシンボルに埋め込まれたパイロット信号のセットを含むバーストパイロット送信構成を選択することができる。BS送信ランクモジュール1210はまた、ランク2送信方式の場合の低レイテンシバーストのチャネルPDPに対応する周波数領域におけるトーン密度を有するデータシンボルに埋め込まれたパイロット信号のセットを含むバーストパイロット送信構成を選択することができる。
【０１０４】
図13は、本開示の様々な態様による、低レイテンシ通信のためのハイブリッドパイロット設計のために構成された基地局105-fを含むシステム1300の図を示す。システム1300は、基地局105-fを含むことができ、基地局105-fは、図1〜図12を参照して上で説明した基地局105の一例であり得る。基地局105-fは、基地局ハイブリッドパイロットモジュール1310を含むことができ、基地局ハイブリッドパイロットモジュール1310は、図10〜図12を参照して説明した基地局ハイブリッドパイロットモジュール1010の一例であり得る。基地局105-fはまた、通信を送信するための構成要素および通信を受信するための構成要素を含む、双方向音声およびデータ通信のための構成要素を含み得る。たとえば、基地局105-fは、低レイテンシ送信構造およびハイブリッドパイロット構成を使用して、基地局105-gまたは基地局105-hと双方向に通信し得る。
【０１０５】
場合によっては、基地局105-fは、1つまたは複数のワイヤードバックホールリンクを有し得る。基地局105-fは、コアネットワーク130-aへのワイヤードバックホールリンク(たとえば、S1インターフェースなど)を有し得る。基地局105-fはまた、基地局間バックホールリンク(たとえば、X2インターフェース)を介して基地局105-gおよび基地局105-hのような他の基地局105と通信し得る。基地局105の各々は、同じまたは異なるワイヤレス通信技術を使用してUE115と通信することができる。場合によっては、基地局105-fは、基地局通信モジュール1325を利用して、105-gまたは105-hのような他の基地局と通信することができる。いくつかの実施形態では、基地局通信モジュール1325は、基地局105のいくつかの間の通信を行うために、LTE/LTE-Aワイヤレス通信ネットワーク技術内のX2インターフェースを提供し得る。いくつかの実施形態では、基地局105-fは、コアネットワーク130-aを通じて他の基地局と通信することができる。場合によっては、基地局105-fは、ネットワーク通信モジュール1330を通じてコアネットワーク130-aと通信することができる。
【０１０６】
基地局105-fは、各々が、直接的または間接的に、(たとえば、バスシステム1345を介して)互いに通信していることがあるプロセッサモジュール1305と、(ソフトウェア(SW)1320を含む)メモリ1315と、トランシーバモジュール1335と、アンテナ1340とを含み得る。トランシーバモジュール1335は、アンテナ1340を介して、マルチモードデバイスであり得るUE115と双方向に通信するように構成され得る。トランシーバモジュール1335(または基地局105-fの他の構成要素)はまた、アンテナ1340を介して、1つまたは複数の他の基地局(図示せず)と双方向に通信するように構成され得る。トランシーバモジュール1335は、パケットを変調し、変調されたパケットを送信のためにアンテナ1340に提供し、アンテナ1340から受信されたパケットを復調するように構成されたモデムを含み得る。基地局105-fは、各々が1つまたは複数の関連アンテナ1340を伴う、複数のトランシーバモジュール1335を含み得る。トランシーバモジュールは、図10の受信機1005および送信機1015の組合せの一例であり得る。
【０１０７】
メモリ1315は、RAMとROMとを含み得る。メモリ1315はまた、実行されると、本明細書で説明する様々な機能(たとえば、低レイテンシ通信のためのハイブリッドパイロット設計、カバレージ強化技法の選択、呼出し処理、データベース管理、メッセージルーティングなど)をプロセッサモジュール1305に実行させるように構成された命令を含む、コンピュータ可読コンピュータ実行可能のソフトウェアコード1320を記憶し得る。代替として、ソフトウェア1320は、プロセッサモジュール1305によって直接実行可能ではなくてもよく、たとえばコンパイルされ実行されると、本明細書で説明する機能をコンピュータに実行させるように構成されてもよい。プロセッサモジュール1305は、インテリジェントハードウェアデバイス(たとえば、CPU、マイクロコントローラ、ASICなど)を含み得る。プロセッサモジュール1305は、エンコーダ、キュー処理モジュール、ベースバンドプロセッサ、無線ヘッドコントローラ、デジタル信号プロセッサ(DSP)などのような、様々な専用プロセッサを含み得る。
【０１０８】
基地局通信モジュール1325は、他の基地局105との通信を管理し得る。この通信管理モジュールは、他の基地局105と協力してUE115との通信を制御するためのコントローラまたはスケジューラを含み得る。たとえば、基地局通信モジュール1325は、ビームフォーミングまたはジョイント送信のような様々な干渉軽減技法によりUE115への送信のためのスケジューリングを調整することができる。
【０１０９】
図14は、本開示の様々な態様による、低レイテンシ通信のためのハイブリッドパイロット設計に関する方法1400を示すフローチャートを示す。方法1400の動作は、図1〜図13を参照して説明したUE115またはそれの構成要素によって実施され得る。たとえば、方法1400の動作は、図6〜図10を参照して説明したハイブリッドパイロットモジュール610によって実行され得る。いくつかの例では、UE115は、以下で説明する機能を実行するためにUE115の機能要素を制御するようにコードのセットを実行し得る。追加または代替として、UE115は、専用ハードウェアを使用して以下で説明する機能の態様を実行し得る。
【０１１０】
ブロック1405において、UE115は、図2〜図5を参照して上で説明したように、周期パイロット送信構成に少なくとも部分的に基づくパイロット信号の第1のセットを受信し得る。いくつかの例では、ブロック1405の動作は、図7を参照して上で説明した周期パイロットモジュール705によって実行され得る。
【０１１１】
ブロック1410において、UE115は、図2〜図5を参照して上で説明したように、バーストパイロット送信構成に少なくとも部分的に基づくパイロット信号の埋め込み済み第2のセットを含む低レイテンシバーストを受信することができ、バーストパイロット送信構成が周期パイロット送信構成とは異なる。いくつかの例では、ブロック1410の動作は、図7を参照して上で説明したバーストパイロットモジュール710によって実行され得る。
【０１１２】
図15は、本開示の様々な態様による、低レイテンシ通信のためのハイブリッドパイロット設計に関する方法1500を示すフローチャートを示す。方法1500の動作は、図1〜図13を参照して説明したUE115またはそれの構成要素によって実施され得る。たとえば、方法1500の動作は、図6〜図10を参照して説明したハイブリッドパイロットモジュール610によって実行され得る。いくつかの例では、UE115は、以下で説明する機能を実行するためにUE115の機能要素を制御するようにコードのセットを実行し得る。追加または代替として、UE115は、専用ハードウェアを使用して以下で説明する機能の態様を実行し得る。方法1500はまた、図14の方法1400の態様を組み込むことができる。
【０１１３】
ブロック1505において、UE115は、図2〜図5を参照して上で説明したように、周期パイロット送信構成に少なくとも部分的に基づくパイロット信号の第1のセットを受信し得る。いくつかの例では、ブロック1505の動作は、図7を参照して上で説明した周期パイロットモジュール705によって実行され得る。
【０１１４】
ブロック1510において、UE115は、図2〜図5を参照して上で説明したように、パイロット信号の第1のセットに少なくとも部分的に基づいて長期チャネル推定値を生成することができる。いくつかの例では、ブロック1510の動作は、図8を参照して上で説明した長期チャネル推定モジュール805によって実行され得る。
【０１１５】
ブロック1515において、UE115は、図2〜図5を参照して上で説明したように、バーストパイロット送信構成に少なくとも部分的に基づくパイロット信号の埋め込み済み第2のセットを含む低レイテンシバーストを受信することができ、バーストパイロット送信構成が周期パイロット送信構成とは異なる。いくつかの例では、ブロック1515の動作は、図7を参照して上で説明したバーストパイロットモジュール710によって実行され得る。
【０１１６】
ブロック1520において、UE115は、図2〜図5を参照して上で説明したように、パイロット信号の第2のセットに少なくとも部分的に基づいて瞬時チャネル推定値を生成することができる。いくつかの例では、ブロック1520の動作は、図8を参照して上で説明した瞬時チャネル推定モジュール810によって実行され得る。
【０１１７】
図16は、本開示の様々な態様による、低レイテンシ通信のためのハイブリッドパイロット設計に関する方法1600を示すフローチャートを示す。方法1600の動作は、図1〜図13を参照して説明したUE115またはそれの構成要素によって実施され得る。たとえば、方法1600の動作は、図6〜図10を参照して説明したハイブリッドパイロットモジュール610によって実行され得る。いくつかの例では、UE115は、以下で説明する機能を実行するためにUE115の機能要素を制御するようにコードのセットを実行し得る。追加または代替として、UE115は、専用ハードウェアを使用して以下で説明する機能の態様を実行し得る。方法1600はまた、図14〜図15の方法1400、および1500の態様を組み込むことができる。
【０１１８】
ブロック1605において、UE115は、図2〜図5を参照して上で説明したように、周期パイロット送信構成に少なくとも部分的に基づくパイロット信号の第1のセットを受信し得る。いくつかの例では、ブロック1605の動作は、図7を参照して上で説明した周期パイロットモジュール705によって実行され得る。
【０１１９】
ブロック1610において、UE115は、図2〜図5を参照して上で説明したように、バーストパイロット送信構成に少なくとも部分的に基づくパイロット信号の埋め込み済み第2のセットを含む低レイテンシバーストを受信することができ、バーストパイロット送信構成が周期パイロット送信構成とは異なる。いくつかの例では、ブロック1610の動作は、図7を参照して上で説明したバーストパイロットモジュール710によって実行され得る。
【０１２０】
ブロック1615において、UE115は、図2〜図5を参照して上で説明したように、低レイテンシバーストの復調のために、1つまたは複数の制御チャネル送信をパイロットデータに変換することができる。いくつかの例では、ブロック1615の動作は、図8を参照して上で説明した制御チャネル変換モジュール820によって実行され得る。
【０１２１】
ブロック1620において、UE115は、図2〜図5を参照して上で説明したように、変換された制御チャネルに基づいてチャネル推定値を精緻化することができる。いくつかの例では、ブロック1620の動作は、図8を参照して上で説明した瞬時チャネル推定モジュール810によって実行され得る。
【０１２２】
図17は、本開示の様々な態様による、低レイテンシ通信のためのハイブリッドパイロット設計に関する方法1700を示すフローチャートを示す。方法1700の動作は、図1〜図13を参照して説明した基地局105またはそれの構成要素によって実施され得る。たとえば、方法1700の動作は、図10〜図13を参照して説明した基地局ハイブリッドパイロットモジュール1010によって実行され得る。いくつかの例では、基地局105は、以下で説明する機能を実行するために基地局105の機能要素を制御するようにコードのセットを実行し得る。追加または代替として、基地局105は、専用ハードウェアを使用して以下で説明する機能の態様を実行し得る。方法1700はまた、図14〜図16の方法1400、1500、および1600の態様を組み込むことができる。
【０１２３】
ブロック1705において、基地局105は、図2〜図5を参照して上で説明したように、周期パイロット送信構成に少なくとも部分的に基づくパイロット信号の第1のセットを送信することができる。いくつかの例では、ブロック1705の動作は、図11を参照して上で説明したBS周期パイロットモジュール1105によって実行され得る。
【０１２４】
ブロック1710において、基地局105は、図2〜図5を参照して上で説明したように、バーストパイロット送信構成に少なくとも部分的に基づいて低レイテンシバーストにパイロット信号の第2のセットを埋め込むことができ、バーストパイロット送信構成が周期パイロット送信構成とは異なる。いくつかの例では、ブロック1710の動作は、図11を参照して上で説明したBSバーストパイロットモジュール1110によって実行され得る。
【０１２５】
ブロック1715において、基地局105は、図2〜図5を参照して上で説明したように、パイロット信号の埋め込み済み第2のセットを含む低レイテンシバーストを送信することができる。いくつかの例では、ブロック1715の動作は、図11を参照して上で説明したバーストモジュール1115によって実行され得る。
【０１２６】
図18は、本開示の様々な態様による、低レイテンシ通信のためのハイブリッドパイロット設計に関する方法1800を示すフローチャートを示す。方法1800の動作は、図1〜図13を参照して説明した基地局105またはそれの構成要素によって実施され得る。たとえば、方法1800の動作は、図10〜図13を参照して説明した基地局ハイブリッドパイロットモジュール1010によって実行され得る。いくつかの例では、基地局105は、以下で説明する機能を実行するために基地局105の機能要素を制御するようにコードのセットを実行し得る。追加または代替として、基地局105は、専用ハードウェアを使用して以下で説明する機能の態様を実行し得る。方法1800はまた、図14〜図17の方法1400、1500、1600、および1700の態様を組み込むことができる。
【０１２７】
ブロック1805において、基地局105は、図2〜図5を参照して上で説明したように、周期パイロット送信構成に少なくとも部分的に基づくパイロット信号の第1のセットを送信することができる。いくつかの例では、ブロック1805の動作は、図11を参照して上で説明したBS周期パイロットモジュール1105によって実行され得る。
【０１２８】
ブロック1810において、基地局105は、図2〜図5を参照して上で説明したように、周期パイロット送信構成よりも高いパイロット密度を含むバーストパイロット送信構成を選択することができる。いくつかの例では、ブロック1810の動作は、図12を参照して上で説明したパイロット密度モジュール1205によって実行され得る。
【０１２９】
ブロック1815において、基地局105は、図2〜図5を参照して上で説明したように、バーストパイロット送信構成に少なくとも部分的に基づいて低レイテンシバーストにパイロット信号の第2のセットを埋め込むことができ、バーストパイロット送信構成が周期パイロット送信構成とは異なる。いくつかの例では、ブロック1815の動作は、図11を参照して上で説明したBSバーストパイロットモジュール1110によって実行され得る。
【０１３０】
ブロック1820において、基地局105は、図2〜図5を参照して上で説明したように、パイロット信号の埋め込み済み第2のセットを含む低レイテンシバーストを送信することができる。いくつかの例では、ブロック1820の動作は、図11を参照して上で説明したバーストモジュール1115によって実行され得る。
【０１３１】
図19は、本開示の様々な態様による、低レイテンシ通信のためのハイブリッドパイロット設計に関する方法1900を示すフローチャートを示す。方法1900の動作は、図1〜図13を参照して説明した基地局105またはそれの構成要素によって実施され得る。たとえば、方法1900の動作は、図10〜図13を参照して説明した基地局ハイブリッドパイロットモジュール1010によって実行され得る。いくつかの例では、基地局105は、以下で説明する機能を実行するために基地局105の機能要素を制御するようにコードのセットを実行し得る。追加または代替として、基地局105は、専用ハードウェアを使用して以下で説明する機能の態様を実行し得る。方法1900はまた、図14〜図18の方法1400、1500、1600、1700、および1800の態様を組み込むことができる。
【０１３２】
ブロック1905において、基地局105は、図2〜図5を参照して上で説明したように、周期パイロット送信構成に少なくとも部分的に基づくパイロット信号の第1のセットを送信することができる。いくつかの例では、ブロック1905の動作は、図11を参照して上で説明したBS周期パイロットモジュール1105によって実行され得る。
【０１３３】
ブロック1910において、基地局105は、図2〜図5を参照して上で説明したように、バーストパイロット送信構成に少なくとも部分的に基づいて低レイテンシバーストにパイロット信号の第2のセットを埋め込むことができ、バーストパイロット送信構成が周期パイロット送信構成とは異なる。いくつかの例では、ブロック1910の動作は、図11を参照して上で説明したBSバーストパイロットモジュール1110によって実行され得る。
【０１３４】
ブロック1915において、基地局105は、図2〜図5を参照して上で説明したように、パイロット信号の埋め込み済み第2のセットを含む低レイテンシバーストを送信することができる。いくつかの例では、ブロック1915の動作は、図11を参照して上で説明したバーストモジュール1115によって実行され得る。
【０１３５】
ブロック1920において、基地局105は、図2〜図5を参照して上で説明したように、後続バーストパイロット送信構成に基づくパイロット信号のセットを有しない後続低レイテンシバーストを送信することができる。いくつかの例では、ブロック1920の動作は、図11を参照して上で説明したバーストモジュール1115によって実行され得る。
【０１３６】
このようにして、方法1400、1500、1600、1700、1800、および1900は、低レイテンシ通信のためのハイブリッドパイロット設計を実現することができる。方法1400、1500、1600、1700、1800、および1900は可能な実装形態を表していること、ならびに動作およびステップは、他の実装形態が可能であるように並べ替えられてよく、または別様に修正されてもよいことに留意されたい。いくつかの例では、方法1400、1500、1600、1700、1800、および1900のうちの2つ以上からの態様が組み合わされ得る。
【０１３７】
添付の図面に関して上記に記載した詳細な説明は、例示的な実施形態について説明するものであり、実装され得る、または特許請求の範囲内にあるすべての実施形態を表すものではない。本明細書全体にわたって使用される「例示的」という用語は、「例、事例、または例示として役立つ」ことを意味し、「好ましい」または「他の実施形態よりも有利な」を意味するものではない。詳細な説明は、説明した技法の理解を与える目的で、具体的な詳細を含む。しかしながら、これらの技法は、これらの具体的な詳細を伴わずに実践され得る。場合によっては、説明した実施形態の概念を曖昧にするのを回避するために、よく知られている構造およびデバイスはブロック図の形態で示されている。
【０１３８】
様々な異なる技術および技法のいずれかを使用して、情報および信号が表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１３９】
本明細書の開示に関して説明された様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサは、マイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ(たとえば、DSPおよびマイクロプロセッサの組合せ、複数のマイクロプロセッサ、DSPコアと連携する1つもしくは複数のマイクロプロセッサ、または任意の他のそのような構成)として実装され得る。
【０１４０】
本明細書で説明した機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶されるか、またはコンピュータ可読媒体を介して送信され得る。他の例および実装形態は、本開示および添付の特許請求の範囲の範囲内にある。たとえば、ソフトウェアの性質により、上で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理ロケーションにおいて実装されるように分散されることを含め、様々な位置に物理的に位置していてもよい。また、特許請求の範囲を含めて、本明細書で使用する場合、項目のリスト(たとえば、「のうちの少なくとも1つ」または「のうちの1つまたは複数」のような句で終わる項目のリスト)で使用される「または」は、たとえば、[A、B、またはCのうちの少なくとも1つ]のリストがAまたはBまたはCまたはABまたはACまたはBCまたはABC(すなわち、AおよびBおよびC)を意味するように、包含的リストを示す。
【０１４１】
コンピュータ可読媒体は、コンピュータ記憶媒体と、ある場所から別の場所へのコンピュータプログラムの転送を容易にする任意の媒体を含む通信媒体との両方を含む。記憶媒体は、汎用コンピュータまたは専用コンピュータによってアクセスされ得る任意の利用可能な媒体であってよい。限定ではなく例として、コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の媒体を含み得る。また、いかなる接続も適切にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波のようなワイヤレス技術を使用してウェブサイト、サーバ、または他のリモートソースから送信される場合、同軸ケーブル、光ファイバケーブル、ツイストペア、DSL、または赤外線、無線、およびマイクロ波のようなワイヤレス技術は、媒体の定義に含まれる。本明細書で使用するディスク(disk)およびディスク(disc)は、CD、レーザーディスク（登録商標）(disc)、光ディスク(disc)、デジタル多用途ディスク(disc)(DVD)、フロッピーディスク(disk)およびブルーレイディスク(disc)を含み、ディスク(disk)は通常、データを磁気的に再生し、ディスク(disc)はレーザーを用いてデータを光学的に再生する。上記の組合せも、コンピュータ可読媒体の範囲内に含まれる。
【０１４２】
本開示の前述の説明は、当業者が本開示を作製または使用することを可能にするために提供される。本開示への様々な修正は、当業者に容易に明らかになり、本明細書で定義する一般原理は、本開示の範囲から逸脱することなく他の変形形態に適用され得る。したがって、本開示は、本明細書で説明する例および設計に限定されるものではなく、本明細書で開示する原理および新規の特徴と一致する最も広い範囲を与えられるべきである。
【０１４３】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムのような様々なワイヤレス通信システムに使用され得る。「システム」および「ネットワーク」という用語は、しばしば互換的に使用される。CDMAシステムは、CDMA2000、ユニバーサル地上波無線アクセス(UTRA:Universal Terrestrial Radio Access)などのような無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、Wideband CDMA(WCDMA（登録商標）)およびCDMAの他の変形態を含む。TDMAシステムは、モバイル通信用グローバルシステム(GSM（登録商標）:Global System for Mobile Communications)のような無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDMなどのような無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するユニバーサルモバイルテレコミュニケーションシステム(UMTS)の新しいリリースである。UTRA、E-UTRA、UMTS、LTE、LTE-A、およびモバイル通信用グローバルシステム(GSM（登録商標）)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、上述のシステムおよび無線技術、ならびに他のシステムおよび無線技術に使用され得る。ただし、上の説明では、例としてLTEシステムについて説明し、上の説明の大部分においてLTE用語が使用されるが、本技法はLTE適用例以外に適用可能である。
【符号の説明】
【０１４４】
100  ワイヤレス通信システム
105  基地局
105-a  基地局
105-b  基地局
105-c  基地局
105-d  基地局
105-e  基地局
105-f  基地局
105-g  基地局
105-h  基地局
110  地理的カバレージエリア、カバレージエリア
110-a  地理的カバレージエリア、カバレージエリア
115  UE
115-a  UE
115-b  UE
115-c  UE
115-d  UE
115-e  UE
115-f  UE
115-g  UE
115-h  UE
125  通信リンク、ワイヤレス通信リンク
130  コアネットワーク
130-a  コアネットワーク
132  バックホールリンク
134  バックホールリンク
205  ダウンリンク
210  周期パイロット信号
215  バーストパイロット信号
301  バーストパイロット送信構造
302  バーストパイロット送信構造
305-a  第1の送信、送信、低レイテンシバースト、第1の低レイテンシ送信、第1の低レイテンシバースト
305-b  第1の送信、第1の低レイテンシ送信、送信
310-a  第2の送信、送信、第2の低レイテンシ送信、第2の低レイテンシバースト
310-b  第2の送信、送信、第2の低レイテンシ送信
315-a  制御信号
315-b  制御信号
320  4つのトーン
325-a  データリソース要素
330  6個のトーンのセット
400  プロセスフロー
500  低レイテンシバースト構造
510  無線フレーム、第1のレイヤTDDフレーム
525  DLサブフレーム
530  特殊サブフレーム
535  ULサブフレーム
540  バーストサブフレーム
545  DLシンボル、シンボル
550  特殊シンボル、シンボル
555  ULシンボル、シンボル
560  ACK/NACK
565  ULサブフレーム
570  ACK/NACK
575  ACK/NACK
580  ULシンボル
585  DLシンボル
600  ブロック図
605  受信機
605-a  受信機
610  ハイブリッドパイロットモジュール
610-a  ハイブリッドパイロットモジュール
610-b  ハイブリッドパイロットモジュール
615  送信機
615-a  送信機
700  ブロック図
705  周期パイロットモジュール
705-a  周期パイロットモジュール
710  バーストパイロットモジュール
710-a  バーストパイロットモジュール
800  ブロック図
805  長期チャネル推定モジュール
810  瞬時チャネル推定モジュール
815  復調器
820  制御チャネル変換モジュール
825  送信ランクモジュール
900  システム
905  プロセッサモジュール
910  ハイブリッドパイロットモジュール
915  メモリ
920  ソフトウェア(SW)、ソフトウェア/ファームウェアコード
925  追跡ループモジュール
935  トランシーバモジュール
940  アンテナ
945  バス
1000  ブロック図
1005  受信機
1005-a  受信機
1010  基地局ハイブリッドパイロットモジュール
1010-a  基地局ハイブリッドパイロットモジュール
1015  送信機
1015-a  送信機
1105  BS周期パイロットモジュール
1105-a  BS周期パイロットモジュール
1110  BSバーストパイロットモジュール
1110-a  BSバーストパイロットモジュール
1110-b  BSバーストパイロットモジュール
1115  バーストモジュール
1115-a  バーストモジュール
1205  パイロット密度モジュール
1210  BS送信ランクモジュール
1300  システム
1305  プロセッサモジュール
1310  基地局ハイブリッドパイロットモジュール
1315  メモリ
1320  ソフトウェア(SW)、ソフトウェアコード、ソフトウェア
1325  基地局通信モジュール
1030  ネットワーク通信モジュール
1335  トランシーバモジュール
1340  アンテナ
1345  バス
1400  方法
1500  方法
1600  方法
1700  方法
1800  方法
1900  方法
【図１】
0006708637.tif 000002
【図２】
0006708637.tif 000003
【図３Ａ】
0006708637.tif 000004
【図３Ｂ】
0006708637.tif 000005
【図４】
0006708637.tif 000006
【図５】
0006708637.tif 000007
【図６】
0006708637.tif 000008
【図７】
0006708637.tif 000009
【図８】
0006708637.tif 000010
【図９】
0006708637.tif 000011
【図１０】
0006708637.tif 000012
【図１１】
0006708637.tif 000013
【図１２】
0006708637.tif 000014
【図１３】
0006708637.tif 000015
【図１４】
0006708637.tif 000016
【図１５】
0006708637.tif 000017
【図１６】
0006708637.tif 000018
【図１７】
0006708637.tif 000019
【図１８】
0006708637.tif 000020
【図１９】
0006708637.tif 000021